(57)【特許請求の範囲】
【請求項１】
スチーム用タンクの水をヒータによって加熱して生成されるスチームを、スチーム噴射ノズルより単独で噴射するスチーム噴射装置と、ミスト用タンクより供給される液体をミスト噴射ノズルより単独で噴射するミスト噴射装置とを備え、スチーム噴射ノズルとミスト噴射ノズルとを近接配置して成ることを特徴とする理美容器具。
【請求項２】
ブラシ部にスチーム噴射ノズル及びミスト噴射ノズルを設けて成ることを特徴とする請求項１記載の理美容器具。
【請求項３】
スチーム噴射ノズルにつながるスチーム発生室を具備し、スチーム発生室の側部を覆うようにスチーム用タンクを配設し、スチーム発生室とスチーム用タンクとを多孔質材で連通し、スチーム発生室内の多孔質材を加熱することによってスチームを発生するように構成して成ることを特徴とする請求項１記載の理美容器具。
【請求項４】
スチーム用タンク内又は、スチーム発生室内において、保水させた多孔質材をヒータで加熱することによって、スチームを発生するように構成して成ることを特徴とする請求項１記載の理美容器具。
【請求項５】
スチーム噴射ノズルとつながるスチーム発生室に設けたヒータとスチーム用タンク内の水との間に多孔質材を設けて成ることを特徴とする請求項１記載の理美容器具。
【請求項６】
ミスト用タンクに水保持室を具備させ、ミスト発生による水の減少に伴う体積減少に応じて水保持室の容積が減少する容積調整手段を備えて成ることを特徴とする請求項１記載の理美容器具。
【請求項７】
容積調整手段として、水保持室を弾性収縮する材質からなる貯水袋として成ることを特徴とする請求項６記載の理美容器具。
【請求項８】
容積調整手段として、有底筒状の内外容器を水密状態に重ね合わせて伸縮可能に構成して成ることを特徴とする請求項６記載の理美容器具。
【請求項９】
ミスト用タンクの液体を超音波振動子によって微粒化し噴出するように構成したことを特徴とする請求項１又は請求項２記載の理美容器具。
【請求項１０】
スチーム用タンクの水をヒータによって加熱して生成されるスチームを、スチーム噴射ノズルより単独で噴射するスチーム噴射装置と、ミスト用タンクより供給される液体をミスト噴射ノズルより単独で噴射するミスト噴射装置とを備え、スチーム噴射ノズルとミスト噴射ノズルとをブラシ部に近接配置して成ることを特徴とするブラシ付きヘアードライヤー。
【請求項１１】
スチーム用タンクの水をヒータによって加熱して生成されるスチームを、スチーム噴射ノズルより単独で噴射するスチーム噴射装置と、ミスト用タンクより供給される液体をミスト噴射ノズルより単独で噴射するミスト噴射装置とを備え、スチーム噴射ノズルとミスト噴射ノズルとを近接配置して成ることを特徴とする美顔器具。
【発明の詳細な説明】
【０００１】
【発明の属する技術分野】
本発明は、スチームとミストを肌に作用させて肌の活性化を図る美肌器具等のような理美容器具、ヘアートリートメントをおこなうブラシ付きヘアードライヤー（ヘアーセッター）及び美顔器具に関し、詳しくは、スチームにミストを混合して熱くなく充分に水分を含んだもの、またはスチームとミストを切り替えてそれぞれを単独に、人体の肌または髪に当てることができ、かつ、このようにする場合に器具を手持ち（ハンディ）形態にして傾けても充分に安全化を図ろうとする技術にかかるものである。
【０００２】
【従来の技術】
従来の理美容器具Ａ’は、例えば手持ち器具であるブラシ付きドライヤー（ヘアーセッター）の場合、図１６に示すようにスチーム用タンク１’の水を導水機能を備えた多孔質材１１’を介してヒータ１０’に供給し、ヒータ１０’の加熱でスチームを発生させる構成であるが、このような構成によれば、スチーム量が少ないため髪に対する保湿効果が低く、又、スチーム温度が高い状態で髪に供給されるので使用者に危険感や不安感を与えるという問題がある。
【０００３】
保湿効果を高める手段としてスチーム量の増加があるが、単純に上記構成を用いるとヒータ１０’の更なる高温化に伴う消費電力の増加を生じるばかりか、大量の高温スチームの発生により火傷等の危険性も生じてしまうことになり、目的とするところの熱くない大量の水分供給ができないものとなる。
【０００４】
かかる機能を有している器具Ａ’’として図１７に示す吸入器があげられる。つまり、ボイラーＢの水をヒータ１０’にて加熱し、スチーム噴出ノズル１７’よりスチームを噴出させ、ベンチュリー効果によってミスト用タンク１８’の水を吸い上げミスト噴出ノズル２０’よりスチーム流速によって吹き飛ばされながらスチームと混合し熱くない大量のミストを噴出している。
【０００５】
しかしながらこのような構成によれば、スチームのみの供給、ミストのみの供給をおこなうことができないばかりか、器具Ａ’’の姿勢が変化した場合、ミスト用タンク１８’内の水を安定的にミスト噴射ノズル２０’によって吸い上げることができなかったり、スチーム噴射ノズル１７’より良好にスチームが噴射されないという現象を生じる。しかして、器具Ａ’’の姿勢変化が激しい手持ち器具Ａ’’として使用することができないという問題がある。
【０００６】
【発明が解決しようとする課題】
本発明はこのような問題を解決しようとするものであり、スチームにミストを混合して熱くなく充分に水分を含んだもの、またはスチームとミストを切り替えてそれぞれを単独に、人体の肌または髪に当てることができ、かつ、このようにする場合に器具を手持ち（ハンディ）形態にして傾けても充分に安全化を図ることができる理美容器具、ブラシ付きヘアードライヤー及び美顔器具を提供することを課題とするものである。
【０００７】
【課題を解決するための手段】
請求項１においては、スチーム用タンクＳＴの水をヒータ１０によって加熱して生成されるスチームを、スチーム噴射ノズル１７より単独で噴射するスチーム噴射装置ａと、ミスト用タンク１８より供給される液体をミスト噴射ノズル２０より単独で噴射するミスト噴射装置ｂとを備え、スチーム噴射ノズル１７とミスト噴射ノズル２０とを近接配置していることを特徴とするものである。このような構成によれば、スチーム噴射装置ａ及びミスト噴射装置ｂの各々からスチーム及びミストの噴射をおこなうことができ、更に、スチーム噴射装置ａ又はミスト噴射装置ｂからの単独のスチーム又はミストの噴射をおこなうことができ、スチームに充分にミストを混合したものの供給は勿論、スチームのみの供給又はミストのみの供給を必要に応じておこなうことができ、使用者に危険感や不安感を与えることなく、安心して安全にかつ、好みに応じて使用ができ、肌、髪などのケアを誰でもが容易に安全におこなうことができる。
【０００８】
請求項２においては、ブラシ部６４にスチーム噴射ノズル１７及びミスト噴射ノズル２０を設けていることを特徴とするものである。このような構成によれば、充分に水分を含んだスチームによってヘアートリートメントを良好におこなうことがき、又、スチームもしくはミストによっても好みのトリートメントをおこなうことができる。
【０００９】
請求項３においては、スチーム噴射ノズル１７につながるスチーム発生室９を具備し、スチーム発生室９の側部を覆うようにスチーム用タンクＳＴを配設し、スチーム発生室９とスチーム用タンクＳＴとを多孔質材１１で連通し、スチーム発生室９内の多孔質材１１を加熱することによってスチームを発生するように構成していることを特徴とするものである。このような構成によれば、スチーム用タンクＳＴ内の水は多孔質材１１に保水されるとともにスチーム発生室９内に導入され、スチーム発生室９内において加熱されてスチーム化されるのであり、スチームの発生を安定化させ、器具の傾きにかかわることなくスチームの発生がおこなえ、スチーム用タンクＳＴ内に残水を生じさせることなくスチーム化ができ、特に、器具の傾きにかかわることなく安定的にスチームの発生がおこなえ、例えば、ブラシ付きヘアードライヤーのような携帯（ハンディ）型への転用が可能となり、携帯型において安全に使用できる。
【００１０】
請求項４においては、スチーム用タンクＳＴ内又は、スチーム発生室９内において、保水させた多孔質材１１をヒータ１０で加熱することによって、スチームを発生するように構成していることを特徴とするものである。このような構成によれば、保水させた多孔質材１１を加熱することによってスチームの発生を安定化させることができ、特に、器具の傾きにかかわることなく安定的にスチームの発生がおこなえ、例えば、ブラシ付きヘアードライヤーのような携帯（ハンディ）型への転用が可能となり、携帯型において安全に使用できる。
【００１１】
請求項５においては、スチーム噴射ノズル１７とつながるスチーム発生室９に設けたヒータ１０とスチーム用タンクＳＴ内の水との間に多孔質材１１を設けていることを特徴とするものである。このような構成によれば、スチーム用タンクＳＴ内の水は多孔質材１１に保水されるとともにスチーム発生室９内に導入され、スチーム発生室９内において加熱されてスチーム化されるのであり、スチームの発生を安定化させ、器具の傾きにかかわることなくスチームの発生がおこなえ、スチーム用タンクＳＴ内に残水を生じさせることなくスチーム化ができ、特に、器具の傾きにかかわることなく安定的にスチームの発生がおこなえ、例えば、ブラシ付きヘアードライヤーのような携帯（ハンディ）型への転用が可能となり、携帯型において安全に使用できる。
【００１２】
請求項６においては、ミスト用タンク１８に水保持室５６を具備させ、ミスト発生による水の減少に伴う体積減少に応じて水保持室５６の容積が減少する容積調整手段６５を備えていることを特徴とするものである。このような構成によれば、ミスト噴射ノズル２０によるミスト噴射によって水保持室５６内の液体が減少するなか、その減少量に相当する容積減少をこの水保持室５６自体が行うことができ、残水をほぼ無くすことができ、給水した全水量を使用することができるようになり、しかも、理美容器具Ａの姿勢の変化の影響もなくすことができ、携帯型に転用でき、携帯型の理美容器具Ａを使いやすくできる。
【００１３】
請求項７においては、容積調整手段６５として、水保持室５６を弾性収縮する材質からなる貯水袋６６としていることを特徴とするものである。このような構成によれば、容積調整手段６５の構成を簡素化することができる。
【００１４】
請求項８においては、容積調整手段６５として、有底筒状の内外容器５７、５８を水密状態に重ね合わせて伸縮可能に構成してあることを特徴とするものである。このような構成によれば、減少量に相当する容積減少を内容器５７の可動によって行うことができ、容積調整手段６５の器具への組み込みが容易になる。
【００１５】
請求項９においては、ミスト用タンク１８の液体を超音波振動子６２によって微粒化し噴出するように構成していることを特徴とするものである。このような構成によれば、超音波振動子６２によって微粒化され霧化された水分子を発生させることができる。
【００１６】
又、本発明においては、請求項１０のように、スチーム噴射ノズル１７とミスト噴射ノズル２０とをブラシ部６４に近接配置してブラシ付きヘアードライヤーとして構成してもよく、更に、請求項１１のように、美顔器具としてもよいものである。
【００１７】
【発明の実施の形態】
以下、本発明の実施の形態を図面に基づいて説明する。図１は参考例であり、（ａ）は既略断面図、（ｂ）はＸＹＺ軸を示す説明図である。
【００１８】
理美容器具Ａはスチーム噴射装置ａとミスト噴射装置ｂから構成され、スチーム噴射装置ａはスチーム発生室９内にＰＣＴヒータのようなヒータ１０を備え、これに接するようフェルトのような多孔質材１１を配置し、スチーム発生室９の側部を覆うようにスチーム用タンクＳＴが配設され、スチーム用タンクＳＴは例えば左右のタンク１２、１３に分けられ、タンク１２、１３の内部へ多孔質材１１の一部を配置してスチーム発生室９とタンク１２、１３を連結する。ここで多孔質材１１の外周とタンク１２、１３との間にタンク１２、１３内の水が漏れるような隙間を設けないようにしている。即ち、タンク１２、１３内の多孔質材１１はヒータ側壁面１４、１５より延出する形状として配置する。タンク１２、１３には給水用の開口部２１、２２が設けてあり、開口部２１にシール性を確保した着脱自在のシール栓２３、２４を取り付けている。又、タンク１２、１３には、圧力調整弁２５、２６を取り付けておりタンク内の水が減った時に発生する減圧により作動し、平常状態ではタンク１２、１３内の水が多孔質材１１から抜け出ることを防止するため作動しないよう弁圧を設計する。スチーム発生室９の外気への開口経路１６にはスチーム噴射ノズル１７を設置する。
【００１９】
ミスト噴射装置ｂはミスト用タンク１８とこれにシール性を確保して接続される液体経路１９をミスト用タンク１８内部の略中央部ｓまで突出させ、この液体経路１９の他端部にはシール性を確保してミスト噴射ノズル２０が接続される。ミスト噴射ノズル２０はスチーム噴射ノズル１７との間でベンチュリー効果を利用できるように近接配置する。又、ミスト用タンク１８には給水用の開口部２７を設けてあり、これとシール性を確保した着脱自在のシール栓２８を取り付けている。又、ミスト用タンク１８には、圧力調整弁２９を取り付けており、ミスト用タンク１８内の水が減った時に発生する減圧により作動し、平常状態ではミスト用タンク１８内の水が液体経路１９から抜け出ることを防止するため作動しないよう弁圧を設計する。
【００２０】
このように構成される理美容器具Ａの動作を説明する。タンク１２、１３の開口部２１、２２から給水し、シール栓２３、２４でシールし、又、ミスト用タンク１８の開口部２７から給水し、シール栓２８でシールする。次に毛細管現象によって保水した多孔質材１１をヒータ１０によって加熱し、スチームを発生させるスチーム発生室９をスチーム圧で加圧し、加圧されたスチームは開口経路１６を通ってスチーム噴射ノズル１７から噴射される。この時、ベルヌーイの定理によって生じる負圧がベンチュリー効果を発生し、ミスト用タンク１８の液体をミスト噴射ノズル２０へ引き込み、噴射口３０からスチーム圧で吹き飛ばされ、スチームとミストが混合する。
【００２１】
スチーム量の調整は多孔質材１１とヒータ１０の接触面積によりおこなえ、接触面積を多くとるにしたがい、スチーム量は増加していく。発生するミスト量を多くしたい時、及び、発生するミストの粒径を微細化したい時は、ベンチュリー効果を利用していることからスチーム噴射ノズル１７から噴射されるスチーム流速を速くすることが必要で、スチーム量を多くし、スチーム発生室９で生じるスチーム圧を増加させる。又、スチーム量を増やさなくてもスチーム噴射ノズル１７のスチーム噴射口３２の開口面積を小さくすることでスチーム発生室９のスチーム圧は増加し、スチーム噴射ノズル１７から噴射されるスチーム流速を速くすることができる。
【００２２】
ミスト量の調整は液体経路１９内部の開口面積と長さで行えるほか、ミスト噴射ノズル２０のミスト噴射口３１の開口面積と長さによっても行える。ここで、タンク１２、１３内の水及びミスト用タンク１８内の液体は減水していき、両タンク１２、１８内は減圧していくが、圧力調整弁２５、２６及び２９によって定圧に復帰する。又、使用時間が経過するにつれてタンク１２、１３とミスト用タンク１８内の水は減水していく。例えば初期水位ｗ１が使用時間の経過によって水位ｗ２になったとする。タンク１２、１３では水位ｗ１、ｗ２はともに多孔質材１１に触れているため水位変化の影響なく常に毛細管現象で多孔質材１１は水を保水し続け、水がほぼ無くなるまでスチーム化し続ける。ミスト用タンク１８では水位がｗ２になるまでは液体経路１９が水中にあるためミスト噴射ノズル２０へ液体を送ることができるが、水位がｗ２以下になると液体経路１９が水面上に出るため液体を送ることができなくなり、ミスト用タンク１８にはいくらかの残水を生じてしまうことになる。
【００２３】
ここで使用中に理美容器具Ａの姿勢が変化した場合の動作を説明する。図１（ｂ）のＹ軸全角度及びＸ軸１８０°、Ｚ軸１８０°の姿勢変化は相対的に前述と同じ形態をとり同じ動作をするため説明は省略する。
【００２４】
Ｘ軸で９０°姿勢が変化した状態の縦断面図を図２に示す。同図（ａ）に示すように、初期水位ｗ１が使用時間の経過によって水位ｗ２になったとする。スチーム用タンクＳＴのタンク１２、１３では水位ｗ１、ｗ２ともに多孔質材１１に触れているため水位変化の影響なく常に毛細管現象で多孔質材１１は水を保水し続け、水がほぼ無くなるまでスチーム化し続ける。同図（ｂ）で示すミスト用タンク１８では水位がｗ２になるまでは液体経路１９が水中にあるためミスト噴射ノズル２０へ液体を送るこができるが、水位がｗ２以下になると液体経路１９が水面上に出るため液体を送ることができなくなり、ミスト用タンク１８にはいくらかの残水を生じてしまうことになる。
【００２５】
次にＺ軸で９０°姿勢が変化した状態の縦断面図を図３に示す。初期水位ｗ１が使用時間の経過によって水位ｗ２になったとする。同図（ａ）に示すように、スチーム用タンクＳＴのタンク１２では水位ｗ１、ｗ２ともに多孔質材１１に触れているため水位変化の影響なく常に毛細管現象で多孔質材１１は水を保水し続け、水がほぼ無くなるまでスチーム化し続ける。タンク１３では水面上に多孔質材１１が出るためヒータ１０へ水の供給ができなくなる。この状態を回避するため、図４に示すように、多孔質材１１の一部をタンク１２、１３の内壁面３３まで延出させ、多孔質材１１が常に浸水している状態を得るようにする。ミスト用タンク１８は図２と同じ形態をとり同じ動きをするため説明は省略する。ここで図１に示すようにタンク１２、１３内の残水を無くし給水した全水量を使用できるようにするため、タンク１２内の水の最下点４２と同じか又はそれ以下の位置に多孔質材１１の最下点１３を配置し、この位置関係をどの器具姿勢においても守れるように設計する。以上のことにより理美容器具Ａの姿勢の影響を受けることがない。スチーム用タンクＳＴは１個でもよく、スチーム量を増加させたい時は２個、３個とタンク１２、１３を増していくことでヒータ１０への水の供給能力が増えていきスチーム量も増加していく。
【００２６】
図５にスチーム用タンクＳＴを４個に分割したものを示す。ここで各タンク３４、３５、３６、３７の貯水室は別室にしておくことが重要である。
【００２７】
このような構成とすることで、理美容器具Ａの姿勢の変化の影響を受けず、スチーム温度が低下できるとともに大量のミストを発生することができ火傷等の危険性なく保湿効果を向上できるものである。又、ミスト用タンク１８内に薬剤等を入れることで肌ケア、クレンジング等にも使用でき、又、トリートメント剤を入れて使用することができる。
【００２８】
ここで図５に示すスチーム用タンクＳＴの上記貯水室を図６に示すように連通した場合、初期水位ｗ１の時は狙いのスチーム量を発生するが、使用時間の経過による水位変化によって水位ｗ２となるにつれて多孔質材１１で形成する水供給部３８、３９、４０、４１で供給量の多少が生じてスチーム量が低下していく。これは多孔質材１１の毛細管現象による保水供給の形態をとっているためであり、各水供給部３８、３９、４０、４１と水位との距離に依存しており、特に水供給部３８では水位ｗ２との距離Ｌが一番長いため供給量が一番少なくなってしまい、ついで水供給部３９、４０が供給量が少なく、水供給部４０が一番供給量が多いという供給量の分布が生じるためである。
【００２９】
又、参考例の理美容器具Ａは液体経路１９を遮断することでスチームのみの使用が可能であり、必要に応じて切り替え運転ができる。しかしながらスチーム噴射は高温であるため危険性がある場合には、液体経路１９を遮断せずミスト用タンク１８に液体を入れずに運転、又は、例えば、圧力調整弁２９を開放して空気導入口を形成してミスト噴射ノズル２０を外気に開放することでミスト噴射ノズル２０は空気を引き込み、よってスチーム噴射ノズル１７から噴射されるスチームは空気と混合しスチーム温度を低下させることが可能となる。この現象はスチームとミストの混合運転においても発生する現象であり、ミスト用タンク１８内の液体がスチーム噴射中に無くなってもミスト噴射ノズル２０は空気を引き込むことになるため温度が低下したスチームを噴射することができ、より安全なものとなる。又、香りを付加した空気をミスト噴射ノズル２０が引き込めばアロマ等のリラクゼーション効果も促すことができるものとなる。このように負圧によって生じるベンチュリー効果を利用すれば液体又は気体の供給に動力源がいらず構造が簡易化できる。
【００３０】
本発明の実施例を図７に示す。これはミスト噴射にベンチュリー効果を利用せず単独でミスト噴射するようにしたものである。スチーム噴射ノズル１７に角度αで近接配置したミスト噴射ノズル２０に液体経路１９をシール性を確保して接続し、この液体経路１９の他端部をミスト用タンク１８にシール性を確保して接続する。ミスト用タンク１８にはピストン４４を可動自在にシール性を確保して配設してあり、ピストン４４はピストン駆動部４５に接続されている。スチーム噴射装置ａは前述と同形態のため同一の部品には同じ符号を付して説明は省略する。
【００３１】
このような構成とすることで、ミスト用タンク１８の液体はピストン４４で押し出され、液体経路１９を通ってミスト噴射ノズル２０から噴射される。ミスト量はピストン４４の加圧力で調整する。ミスト噴射ノズル２０とスチーム噴射ノズル１７の配置角度αはスチームとミストが効率良く混合される角度に設計する。
【００３２】
このような構成とすることで、前述と同様の効果を得られる他、ミストのみの使用が可能となることで、スチームで温めてミストで冷やす等の温冷効果を得ることができ、又、必要に応じてスチーム運転、ミスト運転、スチームとミストの混合運転の切り替えが可能となり使用範囲が広がる。ここで、ミスト噴射にはピストン４４だけでなくポンプで液体を押し出す構成等も考えられる。
【００３３】
又、スチーム用タンクＳＴの他の実施例を図８に示す。図７の構成において、スチーム用タンクＳＴのタンク１２、１３内を多孔質材１１で満たしたものである。この多孔質材１１に使用時間に相当する水量を保水させて運転することで、理美容器具Ａのどの姿勢においても多孔質材１１の毛細管現象によりヒータ１０へ水を供給でき、よって理美容器具Ａの姿勢の影響を受けず、ブラシ付きヘアードライヤー等の携帯型の器具への転用がおこなえる。
【００３４】
又、図９はスチーム噴射装置ａの他の実施例を示し、貯水部がないスチーム用タンクＳＴのスチーム発生室９内に多孔質材１１をヒータ１０へ接するように配置したものである。この多孔質材１１に使用時間に相当する水量を保水させて運転することでも、前述と同様の効果を得ることができる他、貯水部がないため小型化できるようになる。
【００３５】
又、図１０はスチーム噴射装置ａの他の実施例を示し、ヒータ１０にスチーム用タンクＳＴをｄ、ｅ部でシール性を確保して接続する。スチーム発生室９内のヒータ１０に接するよう多孔質材１１を配置し、スチーム用タンクＳＴ内部へ多孔質材１１の一部を配置してスチーム発生室９とスチーム用タンクＳＴを連結する。スチーム用の水を貯水する貯水室５３を設けるが、ここで多孔質材１１の外周とスチーム用タンクＳＴとの間に貯水室５３の水が漏れるような隙間を設けないようにし、スチーム用タンクＳＴ内の多孔質材１１はヒータ側壁面１４に沿って延出する形状として配置する。スチーム用タンクＳＴには給水用の開口部２１が設けてあり、これとシール性を確保した着脱自在のシール栓２３を取り付けている。スチーム発生室９の外気への開口経路１６にはスチーム噴射ノズル１７を設置する。
【００３６】
このような構成とすることで、ヒータ１０によって加熱された貯水室５３内の水は、貯水室５３でスチーム化し、貯水室５３内を加圧する。この加圧力によって貯水室５３内の水は多孔質材１１を介してスチーム発生室９内のヒータ１０へ送られスチーム化し、スチーム発生室９をスチーム圧で加圧、加圧されたスチームは開口経路１６を通ってスチーム噴射ノズル１７から噴射される。スチーム噴射ノズル１７から噴射されるスチーム量の調整は、多孔質材１１からヒータ１０へ供給される水の供給量に比例するため、スチーム発生室９と貯水室５３を連結する連結路５４の断面積と長さで調整するか、又は、多孔質材１１からヒータ１０へ供給される水の供給量は貯水室５３で発生するスチーム量に相当する加圧力に比例するため、ヒータ１０と貯水室５３内の水の接触面積で貯水室５３内で発生するスチーム量の調整で行う。
【００３７】
このような構成とすることで、多孔質材１１の毛細管現象による水の供給量以上の供給が可能となるためタンク１個で多量のスチームを得ることができ小型化が可能となる。ここで、ヒータ１０とスチーム用タンクＳＴの隙間部５２は小さく設計し、図１０（ｂ）のｆ方向を下向きで使用した場合のスチーム用タンクＳＴ内の残水が少なくなるようにする。又、図１０（ｂ）のｇ方向を下向きで使用した場合、ヒータ１０にスチーム用タンクＳＴ内の水が接触しなくなる。こうすることで貯水室５３の内圧が上がらず多孔質材１１からヒータ１０に水を供給できなくなり、スチームが噴射されない状態を形成することができる。よって、スチームを噴射させたくない理美容器具Ａの姿勢がある場合はこの現象を利用し、スチーム用タンクＳＴへの給水量は初期量からｇ方向を下向きにした時、ヒータ１０に接触しないようにしておく。以上のような現象を再現させるためにヒータ１０の形状は、その断面が長方形か楕円形が好ましい。ここで、理美容器具Ａの姿勢の影響を受けないように構成するにはヒータ１０の断面は円形が良いが貯水室５３内の残水を少なくするには貯水室５３内のヒータ１０とスチーム用タンクＳＴとの隙間を小さく形成することが必要で、貯水量が減少してしまい使用可能時間に対してタンク形状が大きくなってしまう。
【００３８】
又、スチーム用タンクＳＴの他の参考例を図１１に示す。即ち、スチーム用タンクＳＴ内にヒータ１０を配置し、スチーム噴射ノズル１７とつながるスチーム発生室９に設けたヒータ１０とスチーム用タンクＳＴ内の水との間に隔壁６７を設け、隔壁６７にスチーム発生室９に臨むミスト噴射ノズル２０を設けたものである。このような構成によれば、スチーム用タンクＳＴにおいて隔壁６７にて仕切られた貯水室５３の水がミスト噴射ノズル２０によって微細な液滴となって表面積を格段に増加してヒータ１０に接触するため、気化効率が向上し、効率良くスチームを発生することが可能となる。
【００３９】
次に、ミスト用タンク１８の他の実施例を図１２に示す。ミスト用タンク１８は、その構成上、給水した全水量を使用することができず、いくらか残水を生じてしまう。この状態を改善するため、図１２に示すように、ミスト用タンク１８内に液体経路１９とシール性を確保して接続される水保持室５６を設置したものである。水保持室５６は弾性収縮する材料、例えば、ゴムラテックスのような可撓性を有した低硬度材で構成し、開口部は液体経路１９と接続される部分のみの袋状で形成する。又、水保持室５６に液体を給入する際、最大給入量の規定をミストタンク１８の内壁で行い、水保持室５６の容積がそれ以上大きくならないようにしておく。又、こうすることで水保持室５６の内外応力による破損防止も行える。
【００４０】
このような構成とすることで、ミスト発生によって水保持室５６内の液体が減少するなか、その減少量に相当する容積減少をこの水保持室５６自体が行うことができ、つまり、容積調整手段６５を備えることによって、残水をほぼ無くすことができ給水した全水量を使用することができるようになる他、理美容器具Ａの姿勢の変化の影響もなくすことができるようになる。
【００４１】
又、ミスト用タンク１８の他の実施例を図１３に示す。ミスト用タンク１８を有底筒状の外容器５８と内容器５７を可動自在にシール性を確保して重ねあわせたものである。外容器５８には液体経路１９をシール性を確保して接続する。
【００４２】
このような構成とすることで前述と同様に液体が減少するなか、その減少量に相当する容積減少を内容器５７の可動によって行うことができ、よって前述と同様の効果を得ることができるようになるものである。
【００４３】
又、ミスト用タンクの他の実施例を図１４に示す。ミスト用タンク１８の内部に霧化室５９と貯水室６０を仕切壁６１によって分けて構成し、霧化室５９には超音波振動子６２を駆動用電源に接統して備え、貯水室６０には全ての内壁に延出して形成される多孔質材１１が設置される。多孔質材１１の一部は仕切６１を貫通して超音波振動手６２に接している。ここで多孔質材１１の外周と仕切壁６１との間に貯水室６０の水が漏れるような隙間を設けないようにしておく。
【００４４】
このような構成とすることで、貯水室６０の水は多孔質材１１に毛細管現象により保水され、超音波振動子６２に接している多孔質材１１から霧化された水分子が発生する。これをミスト噴射ノズル２０から噴射して、スチームと混合することで、温度の低い微粒化スチームを発生することができる。
【００４５】
次に、本発明の理美容器具Ａの実施例の一つとしてブラシ付きドライヤー（ヘアーセッター）を図１５に示す。スチーム噴射装置ａとミスト噴射装置ｂをブラシ６３内部に収納し、ブラシ部６４からスチームとミストを噴射するようにしたものである。このような構成とすることで、噴射されるスチーム及びミストを付着させたい頭髪に狙って付着させることができ、使い勝手が良くなる他、スチーム噴射量に対する頭髪付着量の割合が高くなり付着効率も向上する。又、本発明においては、美顔器具として構成することもできる。
【００４６】
【発明の効果】
請求項１においては、スチーム用タンクの水をヒータによって加熱して生成されるスチームを、スチーム噴射ノズルより単独で噴射するスチーム噴射装置と、ミスト用タンクより供給される液体をミスト噴射ノズルより単独で噴射するミスト噴射装置とを備え、スチーム噴射ノズルとミスト噴射ノズルとを近接配置しているから、スチーム噴射装置及びミスト噴射装置の各々からスチーム及びミストの噴射をおこなうことができ、更に、スチーム噴射装置又はミスト噴射装置からの単独のスチーム又はミストの噴射をおこなうことができ、スチームに充分にミストを混合したものの供給は勿論、スチームのみの供給又はミストのみの供給を必要に応じておこなうことができ、使用者に危険感や不安感を与えることなく、安心して安全にかつ、好みに応じて使用ができ、肌、髪などのケアを誰でもが容易に安全におこなうことができる。
【００４７】
請求項２においては、請求項１の構成に加えて、ブラシ部にスチーム噴射ノズル及びミスト噴射ノズルを設けているから、請求項１の効果に加えて、充分に水分を含んだスチームによってヘアートリートメントを良好におこなうことがき、又、スチームもしくはミストによっても好みのトリートメントをおこなうことができるという利点がある。
【００４８】
請求項３においては、請求項１の効果に加えて、スチーム噴射ノズルにつながるスチーム発生室を具備し、スチーム発生室の側部を覆うようにスチーム用タンクを配設し、スチーム発生室とスチーム用タンクとを多孔質材で連通し、スチーム発生室内の多孔質材を加熱することによってスチームを発生するように構成しているから、請求項１の効果に加えて、スチーム用タンク内の水は多孔質材に保水されるとともにスチーム発生室内に導入され、スチーム発生室内において加熱されてスチーム化されるのであり、スチームの発生を安定化させ、器具の傾きにかかわることなくスチームの発生がおこなえ、スチーム用タンク内に残水を生じさせることなくスチーム化ができ、特に、器具の傾きにかかわることなく安定的にスチームの発生がおこなえ、例えば、ブラシ付きヘアードライヤーのような携帯（ハンディ）型への転用が可能となり、携帯型において安全に使用できるという利点がある。
【００４９】
請求項４においては、請求項１の構成に加えて、スチーム用タンク内又は、スチーム発生室内において、保水させた多孔質材をヒータで加熱することによって、スチームを発生するように構成しているから、請求項１の効果に加えて、保水させた多孔質材を加熱することによってスチームの発生を安定化させることができ、特に、器具の傾きにかかわることなく安定的にスチームの発生がおこなえ、例えば、ブラシ付きヘアードライヤーのような携帯（ハンディ）型への転用が可能となり、携帯型において安全に使用できるという利点がある。
【００５０】
請求項５においては、請求項１の構成に加えて、スチーム噴射ノズルとつながるスチーム発生室に設けたヒータとスチーム用タンク内の水との間に多孔質材を設けているから、請求項１の効果に加えて、スチーム用タンク内の水は多孔質材に保水されるとともにスチーム発生室内に導入され、スチーム発生室内において加熱されてスチーム化されるのであり、スチームの発生を安定化させ、器具の傾きにかかわることなくスチームの発生がおこなえ、スチーム用タンク内に残水を生じさせることなくスチーム化ができ、特に、器具の傾きにかかわることなく安定的にスチームの発生がおこなえ、例えば、ブラシ付きヘアードライヤーのような携帯（ハンディ）型への転用が可能となり、携帯型において安全に使用できるという利点がある。
【００５１】
請求項６においては、請求項１の構成に加えて、ミスト用タンクに水保持室を具備させ、ミスト発生による水の減少に伴う体積減少に応じて水保持室の容積が減少する容積調整手段を備えているから、請求項１の効果に加えて、ミスト発生によって水保持室内の液体が減少するなか、その減少量に相当する容積減少をこの水保持室自体が行うことができ、残水をほぼ無くすことができ、給水した全水量を使用することができるようになり、しかも、理美容器具の姿勢の変化の影響もなくすことができ、携帯型に転用でき、携帯型の理美容器具Ａを使いやすくなるという利点がある。
【００５２】
請求項７においては、請求項６の構成に加えて、容積調整手段として、水保持室を弾性収縮する材質からなる貯水袋としているから、請求項６の効果に加えて、容積調整手段の構成を簡素化することができるという利点がある。
【００５３】
請求項８においては、請求項６の構成に加えて、容積調整手段として、有底筒状の内外容器を水密状態に重ね合わせて伸縮可能に構成してあるから、請求項６の効果に加えて、減少量に相当する容積減少を内容器の可動によって行うことができ、容積調整手段の器具への組み込みが容易になるという利点がある。
【００５４】
請求項９においては、請求項１又は２の構成に加えて、ミスト用タンクの液体を超音波振動子によって微粒化し噴出するように構成しているから、請求項１又は２の効果に加えて、超音波振動子によって微粒化され霧化された水分子を発生させることができ、これをスチームと混合することで、温度の低い微粒化スチームを発生することができるという利点がある。
【図面の簡単な説明】
【図１】  本発明の参考例を示し、（ａ）は概略断面図、（ｂ）はＸＹＺ軸を示す説明図である。
【図２】  同上のＸ軸で９０°姿勢が変化した状態を示し、（ａ）はスチーム用タンクの縦断面図、（ｂ）はミスト用タンクの縦断面図である。
【図３】  同上のＺ軸で９０°姿勢が変化した状態を示し、（ａ）はスチーム用タンクの縦断面図、（ｂ）はミスト用タンクの縦断面図である。
【図４】  図２における多孔質材を改良した断面図である。
【図５】  図２においてスチーム用タンクを４個に分割して断面図である。
【図６】  図５におけるスチーム用タンクの貯水室を連通して同室とした断面図である。
【図７】  本発明の実施の形態の概略断面図である。
【図８】  同上のスチーム噴射装置の他の実施の形態の断面図である。
【図９】  同上のスチーム噴射装置の更に他の実施の形態の断面図である。
【図１０】  （ａ）は同上のスチーム噴射装置の更に他の実施の形態の断面図、（ｂ）は説明図である。
【図１１】  本発明の他の参考例の断面図である。
【図１２】  本発明のミスト噴射装置の他の実施の形態の断面図である。
【図１３】  同上のミスト噴射装置の更に他の実施の形態の断面図である。
【図１４】  同上のミスト噴射装置の更に他の実施の形態の断面図である。
【図１５】  同上のブラシ付きドライヤーを示し、（ａ）は縦断面図、（ｂ）は（ａ）のＸ−Ｘ線断面図である。
【図１６】  従来技術を示すブラシ付きドライヤーの縦断面図である。
【図１７】  従来技術を示す吸入器の断面図である。
【符号の説明】
１７  スチーム噴射ノズル
１８  ミスト用タンク
２０  ミスト噴射ノズル
ａ  スチーム噴射装置
ｂ  ミスト噴射装置
ＳＴ  スチーム用タンク
【図１】
0004430808.tif 000002
【図２】
0004430808.tif 000003
【図３】
0004430808.tif 000004
【図４】
0004430808.tif 000005
【図５】
0004430808.tif 000006
【図６】
0004430808.tif 000007
【図７】
0004430808.tif 000008
【図８】
0004430808.tif 000009
【図９】
0004430808.tif 000010
【図１０】
0004430808.tif 000011
【図１１】
0004430808.tif 000012
【図１２】
0004430808.tif 000013
【図１３】
0004430808.tif 000014
【図１４】
0004430808.tif 000015
【図１５】
0004430808.tif 000016
【図１６】
0004430808.tif 000017
【図１７】
0004430808.tif 000018